【事件の表示】
　特願２０１６−１０２９１６号「遊技機」拒絶査定不服審判事件〔平成２９年１１月３０日出願公開、特開２０１７−２０９２０３号〕について、次のとおり審決する。
【結　論】
　本件審判の請求は、成り立たない。
【理　由】
第１　手続の経緯の概要
　本願は、平成２８年５月２４日の出願であって、平成３０年４月６日付けで拒絶の理由が通知され、同年６月１４日に意見書及び手続補正書が提出され、同年１０月１２日付けで最後の拒絶の理由が通知され、同年１２月１１日に意見書及び手続補正書が提出されたところ、平成３１年２月２８日付け（送達日：同年３月５日）で、平成３０年１２月１１日付け手続補正が却下されるとともに拒絶査定（以下「原査定」という。）がなされ、それに対して、令和１年５月３０日に拒絶査定不服審判の請求がなされると同時に手続補正がなされたものである。
　
第２　令和１年５月３０日にされた手続補正についての補正の却下の決定
［補正の却下の決定の結論］
　令和１年５月３０日にされた手続補正（以下「本件補正」という。）を却下する。
　
［理由］
　１　補正の内容
　本件補正により、平成３０年６月１４日付け手続補正書の特許請求の範囲の請求項１における
「【請求項１】
　可変表示を行い、遊技者にとって有利な有利状態に制御可能な遊技機であって、
　遊技者が操作可能な操作手段と、
　前記操作手段に対する操作を促す操作促進報知を実行可能な操作促進報知実行手段とを備え、
　前記操作促進報知実行手段は、
　前記操作促進報知として、少なくとも第１情報を示す画像と第２情報を示す画像とを表示し、
　前記第１情報を示す画像と前記第２情報を示す画像とを互いに重畳することなく表示する第１態様と、前記第１情報を示す画像と前記第２情報を示す画像とを少なくとも一部が重畳するように表示する第２態様とのいずれかの態様によって、前記操作促進報知を実行可能であり、
　前記第１情報は、前記操作手段を示す情報であり、
　前記第２情報は、前記操作手段に対する操作内容を示す情報であり、
　前記操作促進報知実行手段は、
　　前記有利状態に制御される期待度が第１期待度のときには、前記第１態様の前記操作促進報知を第１の大きさで表示し、
　　前記有利状態に制御される期待度が第１期待度よりも高い第２期待度のときには、前記第２態様の前記操作促進報知を前記第１の大きさよりも大きい第２の大きさで表示する、
　ことを特徴とする遊技機。」は、
　審判請求時に提出された手続補正書（令和１年５月３０日付け）の特許請求の範囲の請求項１における
「【請求項１】
　可変表示を行い、遊技者にとって有利な有利状態に制御可能な遊技機であって、
　遊技者が操作可能な操作手段と、
　前記操作手段に対する操作を促す操作促進報知を実行可能な操作促進報知実行手段とを備え、
　前記操作促進報知実行手段は、
　前記操作促進報知として、少なくとも第１情報を示す画像と第２情報を示す画像とを表示し、
　前記第１情報を示す画像と前記第２情報を示す画像とを互いに重畳することなく表示する第１態様と、前記第１情報を示す画像と前記第２情報を示す画像とを少なくとも一部が重畳するように表示する第２態様とのいずれかの態様によって、前記操作促進報知を実行可能であり、
　前記第１情報は、前記操作手段を示す情報であり、
　前記第２情報は、前記操作手段に対する操作内容を示す情報であり、
　前記操作促進報知実行手段は、
　　前記有利状態に制御される期待度が第１期待度のときには、前記第１態様の前記操作促進報知
を表
　　前記有利状態に制御される期待度が第１期待度よりも高い第２期待度のときには、前記第２態様の前記操作促進報知
を表
し、
　　
前記第２態様の前記操作促進報知における前記第１情報を示す画像を、前記第１態様の前記操作促進報知における前記第１情報を示す画像よりも大きく表示し、
　　
前記第２態様の前記操作促進報知における前記第２情報を示す画像を、前記第１態様の前記操作促進報知における前記第２情報を示す画像よりも大きく表示する、
　ことを特徴とする遊技機。」に補正された（下線は、補正箇所を明示するために合議体にて付した。）。
　
　２　補正の適否
　２−１　補正の目的及び新規事項について
　本件補正は、補正前の請求項１に記載した発明を特定するために必要な事項である「第１態様の操作促進報知」及び「第２態様の操作促進報知」に関して、「前記有利状態に制御される期待度が第１期待度のときには、前記第１態様の前記操作促進報知を第１の大きさで表示し、前記有利状態に制御される期待度が第１期待度よりも高い第２期待度のときには、前記第２態様の前記操作促進報知を前記第１の大きさよりも大きい第２の大きさで表示する」とあったものを「前記有利状態に制御される期待度が第１期待度のときには、前記第１態様の前記操作促進報知
を表
を表
し
前記第２態様の前記操作促進報知における前記第１情報を示す画像を、前記第１態様の前記操作促進報知における前記第１情報を示す画像よりも大きく表示し、前記第２態様の前記操作促進報知における前記第２情報を示す画像を、前記第１態様の前記操作促進報知における前記第２情報を示す画像よりも大きく表示する
　
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
　また、本件補正は、願書に最初に添付した明細書の段落【０３２２】、【０３２６】等の記載からみて、新規事項を追加するものではないから、特許法第１７条の２第３項に規定する要件を満たす。
　
　２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　
　（１）本件補正発明
　本件補正発明は、次のとおりのものであると認める（記号Ａ〜Ｇは、分説するため当審判合議体にて付した。）。
「Ａ　可変表示を行い、遊技者にとって有利な有利状態に制御可能な遊技機であって、
　Ｂ　遊技者が操作可能な操作手段と、
　Ｃ　前記操作手段に対する操作を促す操作促進報知を実行可能な操作促進報知実行手段とを備え、
　Ｄ　前記操作促進報知実行手段は、
　　Ｄ１　前記操作促進報知として、少なくとも第１情報を示す画像と第２情報を示す画像とを表示し、
　　Ｄ２　前記第１情報を示す画像と前記第２情報を示す画像とを互いに重畳することなく表示する第１態様と、前記第１情報を示す画像と前記第２情報を示す画像とを少なくとも一部が重畳するように表示する第２態様とのいずれかの態様によって、前記操作促進報知を実行可能であり、
　Ｅ　前記第１情報は、前記操作手段を示す情報であり、
　Ｆ　前記第２情報は、前記操作手段に対する操作内容を示す情報であり、
　Ｄ　前記操作促進報知実行手段は、
　　Ｄ３　前記有利状態に制御される期待度が第１期待度のときには、前記第１態様の前記操作促進報知を表示し、
　　Ｄ４　前記有利状態に制御される期待度が第１期待度よりも高い第２期待度のときには、前記第２態様の前記操作促進報知を表示し、
　　Ｄ５　前記第２態様の前記操作促進報知における前記第１情報を示す画像を、前記第１態様の前記操作促進報知における前記第１情報を示す画像よりも大きく表示し、
　　Ｄ６　前記第２態様の前記操作促進報知における前記第２情報を示す画像を、前記第１態様の前記操作促進報知における前記第２情報を示す画像よりも大きく表示する、
　Ｇ　ことを特徴とする遊技機。」
　
　（２）引用例１
　原査定の拒絶の理由に引用文献４として引用された、本願の出願前に頒布された刊行物である特開２０１０−６８９００号公報（以下「引用例１」という。）には、図面とともに以下の事項が記載されている（下線は当審判合議体にて付した。以下同じ。）。
　　　ア　記載事項
　　　（ア）「【技術分野】
【０００１】
　本発明は、パチンコ遊技機等の
遊技機
　
　　　（イ）「【００８３】
　特別図柄表示器８による特図ゲームでは、特別図柄（「０」〜「９」）の可変表示が開始されてから、所定時間が経過したときに可変表示が停止して特図表示結果となる確定特別図柄が導出表示される。この確定特別図柄が大当り図柄として予め定められた特別図柄となることで、特定表示結果が導出表示されたときには、大当り遊技状態のうちの
第１大当り遊技状態に移行する。
【００８４】
　特図ゲームにおける確定特別図柄が小当り図柄として予め定められた特別図柄となることで、開放表示結果が導出表示されたときには、始動動作状態に移行する。始動動作状態では、可変入賞球装置２０の内部に設けられている特定領域に遊技球が入賞すると、
第２大当り遊技状態に移行する。
【００８５】
　第１大当り遊技状態や第２大当り遊技状態といった大当り遊技状態では、ラウンド遊技として予め定められた動作単位の特定動作が実行可能となり、開閉板１６によって開閉される大入賞口が、第２の状態としての閉鎖状態から第１の状態としての開放状態となる。一例として、開閉板１６は、ソレノイド２１の駆動により、大入賞口を閉鎖状態から開放状態へと変化させた後、所定時間（例えば２９秒間）が経過したこと、あるいは所定個数（例えば９個）の入賞球が発生したことに応じて、大入賞口を開放状態から閉鎖状態へと変化させる。こうした大入賞口を閉鎖状態から開放状態とした後、再び閉鎖状態へと変化させるまでの動作単位が、１回のラウンド遊技として定められている。また、大当り遊技状態にてラウンド遊技を繰り返し実行可能（継続可能）な最大継続回数としての大当り時ラウンド数（ラウンド最大値あるいは大入賞口最大開放回数とも称される）は、例えば「２」、「７」、「１５」といった、複数種類のいずれかに決定される。ここで、大当り時ラウンド数が「１５」に決定された大当り遊技状態は、大当り時ラウンド数が「２」や「７」に決定された大当り遊技状態に比べて、大入賞口に多くの遊技球が入賞することで払い出される賞球の個数を多くすることが可能であり、遊技者にとって有利である。」
　
　　　（ウ）「【００９１】
　
演出表示装置９の表示領域では、
飾り図柄の可変表示
が行われる。
・・・
【００９６】
　「ボタン操作予告」の変動中予告演出では、飾り図柄の可変表示中に、
遊技者により操作ボタン１２０が操作された
「ボタン操作予告」の予告演出では、飾り図柄の可変表示中に、ボタン操作促進演出となる所定の演出動作が行われる。
　
　　　（エ）「【０１０６】
　
演出制御基板８０は、
演出表示装置９
による演出動作を制御する
　
　　　（オ）「【０３８４】
　図６５は、図５６に示すステップＳ９０３にて
変動中予告種別ＣＡＹ１
に基づき、「ボタン操作予告」の
演出が実行される場合
遊技者に操作ボタン１２０の操作を促す演出画像ＹＨ１１
キャラクタ画像による
【０３８５】
　こうして、変動中予告種別ＣＡＹ１の変動中予告パターン種別に決定された場合には、キャラクタ画像によるセリフ内容を示す演出画像を表示することなどにより、始動動作状態において可変入賞球装置２０が開放状態となる回数である役物開放回数（入賞口開放回数）を報知・示唆する変動中予告演出が実行可能となる。そして、役物開放回数を報知・示唆する変動中予告演出が実行される変動中予告パターンは、その演出態様あるいは予告事項に基づいて変動中予告種別ＣＡＹ１の変動中予告パターン種別に分類されるように設定している。したがって、変動中予告種別ＣＡＹ１の変動中予告パターン種別内で変動中予告パターンを追加したり、各変動中予告パターンによる変動中予告演出の発生率を変更する際には、その変動中予告パターン種別内で変動中予告パターン決定テーブル１７１Ａにおける第１予告パターン決定用の乱数値ＳＲ２−１と比較される決定値の設定のみを変更すればよいので、遊技機の開発時間や乱数値の設定時間を短縮化することができる。
【０３８６】
　図６６は、図５６に示すステップＳ９０３にて
変動中予告種別ＣＡＹ２
に基づき、「ボタン操作予告」の
演出が実行される場合
遊技者に操作ボタン１２０の操作を促す演出画像ＹＨ２１
メール
　
　　　（カ）「【０４２３】
　
変動中予告種別ＣＡＹ１
に
含まれている
、役物開放回数を報知・示唆する予告演出を実行して、遊技の興趣を向上させることができる。
【０４２４】
　
変動中予告種別ＣＡＹ２
に
含まれている
、大当り時ラウンド数を報知・示唆する予告演出を実行して、遊技の興趣を向上させることができる。
　
　　　（キ）「【図６５】
　
　【図６６】
 」
　
　　　イ　認定事項
　　　（ア）【図６６】（Ｃ）には、演出表示装置９に、メール画像に加え、
操作ボタンの形を示す画像、及び、「ボタンを押してください」との文字画像の組み合わせからなる、遊技者に操作ボタン１２０の操作を促す演出画像ＹＨ２１を表示する
　
　　　（イ）【図６５】（Ｃ）には、演出表示装置９に、キャラクタ画像に加え、
操作ボタンの形を示す画像、「ボタンを押してね！」との文字画像、及び、操作ボタンを指す指さし画像の組み合わせからなる、遊技者に操作ボタン１２０の操作を促す演出画像ＹＨ１１を表示する
　
　　　（ウ）【図６６】（Ｃ）には、
演出画像ＹＨ２１のうち、操作ボタンの形を示す画像と、「ボタンを押してください」との文字画像とを分離する態様により表示する
　
　　　（エ）【図６５】（Ｃ）には、
演出画像ＹＨ１１のうち、操作ボタンの形を示す画像と、操作ボタンを指す指さし画像との一部を重ねる態様によって表示し、また、重ねる態様によって表示された画像と「ボタンを押してね！」との文字画像とを分離する態様によって表示する
　
　　　（オ）【図６５】（Ｃ）〜【図６６】（Ｃ）には、
演出画像ＹＨ１１の操作ボタンの形を示す画像を、演出画像ＹＨ２１の操作ボタンの形を示す画像よりも大きく表示する
　
　　　（カ）【図６５】（Ｃ）〜【図６６】（Ｃ）には、
演出画像ＹＨ１１のうち操作ボタンを指す指さし画像と「ボタンを押してね！」との文字画像とからなる画像を、演出画像ＹＨ２１の「ボタンを押してください」との文字画像よりも大きく表示する
　
　上記アの記載事項、及び、上記イの認定事項を総合すると、引用例１には、次の発明（以下「引用発明」という。）が記載されていると認められる（ａ〜ｇは、本件補正発明のＡ〜Ｇに対応させて付与した。）。
「ａ　演出表示装置９の表示領域において飾り図柄の可変表示を行い、第１大当り遊技状態や第２大当り遊技状態に移行可能な遊技機であって（【０００１】、【００８３】〜【００８４】、【００９１】）、
　ｂ　遊技者により操作される操作ボタン１２０（【００９６】）と、
　ｃ　「ボタン操作予告」の予告演出において、飾り図柄の可変表示中にボタン操作促進演出となる演出動作を制御する演出制御基板８０（【００９６】、【０１０６】）とを備え、
　ｄ　演出制御基板８０は、
　　ｄ１、ｅ〜ｆ　ボタン操作促進演出として、変動中予告種別ＣＡＹ２に基づいて、操作ボタンの形を示す画像、及び、「ボタンを押してください」との文字画像の組み合わせからなる、遊技者に操作ボタン１２０の操作を促す演出画像ＹＨ２１や、変動中予告種別ＣＡＹ１に基づいて、操作ボタンの形を示す画像、「ボタンを押してね！」との文字画像、及び、操作ボタンを指す指さし画像の組み合わせからなる、遊技者に操作ボタン１２０の操作を促す演出画像ＹＨ１１を表示し（【０３８４】、【０３８６】、認定（ア）〜（イ））、
　　ｄ２　演出画像ＹＨ２１のうち、操作ボタンの形を示す画像と、「ボタンを押してください」との文字画像とを分離する態様により表示し、また、演出画像ＹＨ１１のうち、操作ボタンの形を示す画像と、操作ボタンを指す指さし画像との一部を重ねる態様により表示し、また、重ねる態様によって表示された画像と「ボタンを押してね！」との文字画像とを分離する態様によって表示することで、ボタン操作促進演出を制御可能であり（【０３８４】、【０３８６】認定（ウ）〜（エ））、
　ｄ　演出制御基板８０は、
　　ｄ５　演出画像ＹＨ１１の操作ボタンの形を示す画像を、演出画像ＹＨ２１の操作ボタンの形を示す画像よりも大きく表示し（【０３８４】、【０３８６】認定（オ））、
　　ｄ６　演出画像ＹＨ１１のうち操作ボタンを指す指さし画像と「ボタンを押してね！」との文字画像とからなる画像を、演出画像ＹＨ２１の「ボタンを押してください」との文字画像よりも大きく表示する（【０３８４】、【０３８６】、認定（カ））、
　ｇ　遊技機（【０００１】）。」
　
　（３）対比
　本件補正発明と引用発明とを、分説に従い対比する。
　　（ａ）引用発明における「第１大当り遊技状態や第２大当り遊技状態に移行可能な」ことは、本件補正発明における「遊技者にとって有利な有利状態に制御可能な」ことに相当する。
　したがって、引用発明における構成ａの「遊技機」は、本件補正発明における構成Ａの「遊技機」に相当する。
　
　　（ｂ）引用発明における「遊技者により操作される」ことは、本件補正発明における「遊技者が操作可能な」ことに相当する。
　したがって、引用発明における構成ｂの「操作ボタン１２０」は、本件補正発明における構成Ｂの「操作手段」に相当する。
　
　　（ｃ）引用発明における「ボタン操作促進演出となる演出動作を制御する」ことは、本件補正発明における「操作手段に対する操作を促す操作促進報知を実行可能な」ことに相当する。
　したがって、引用発明における構成ｃの「演出制御基板８０」は、本件補正発明における構成Ｃの「操作促進報知実行手段」に相当する。
　
　　（ｄ、ｄ１）上記（ｃ）より引用発明における「ボタン操作促進演出」は、本件補正発明における「操作促進報知」に相当する。
　そして、引用発明における「操作ボタンの形を示す画像」は、本件補正発明における「第１情報を示す画像」に相当する。
　また、引用発明における「「ボタンを押してください」との文字画像」、「「ボタンを押してね！」との文字画像」、及び、「操作ボタンを指す指さし画像」の各々は、本件補正発明における「第２情報を示す画像」に相当する。
　したがって、引用発明における構成ｄ、ｄ１の「演出制御基板８０」は、本件補正発明における構成Ｄ、Ｄ１の「操作促進報知実行手段」に相当する。
　
　　（ｄ、ｄ２）引用発明における「演出画像ＹＨ２１のうち」の「操作ボタンの形を示す画像と、「ボタンを押してください」との文字画像とを分離する態様」は、本件補正発明における「第１情報を示す画像と第２情報を示す画像とを互いに重畳することなく表示する第１態様」に相当する。
　また、引用発明における「演出画像ＹＨ１１のうち」の「操作ボタンの形を示す画像と、操作ボタンを指す指さし画像との一部を重ねる態様」は、本件補正発明における「第１情報を示す画像と第２情報を示す画像とを少なくとも一部が重畳するように表示する第２態様」に相当する。
　したがって、引用発明における構成ｄ、ｄ２の「演出制御基板８０」は、本件補正発明における構成Ｄ、Ｄ２の「操作促進報知実行手段」に相当する。
　
　　（ｅ、ｆ）引用発明における「操作ボタンの形を示す画像」は、上記（ｂ）より、本件補正発明における「操作手段を示す情報」に相当する。
　また、引用発明における「「ボタンを押してください」との文字画像」、「「ボタンを押してね！」との文字画像」、及び、「操作ボタンを指す指さし画像」の各々は、本件補正発明における「操作手段に対する操作内容を示す情報」に相当する。
　したがって、引用発明における構成ｄ、ｄ１、ｅ〜ｆは、本件補正発明における構成Ｅ〜Ｆに相当する。
　
　　（ｄ、ｄ５）上記（ｄ、ｄ１）、（ｄ、ｄ２）より、引用発明における「演出画像ＹＨ２１」は、本件補正発明における「第１態様」により表示され、同じく、引用発明における「演出画像ＹＨ１１」は、本件補正発明における「第２態様」により表示されるものといえる。
　そうすると、引用発明における構成ｄ、ｄ５の「演出画像ＹＨ１１の操作ボタンの形を示す画像を、演出画像ＹＨ２１の操作ボタンの形を示す画像よりも大きく表示」する「演出制御基板８０」は、本件補正発明における構成Ｄ、Ｄ５の「第２態様の操作促進報知における第１情報を示す画像を、第１態様の操作促進報知における第１情報を示す画像よりも大きく表示」する「操作促進報知実行手段」に相当する。
　
　　（ｄ、ｄ６）上記（ｄ、ｄ５）と同様に、引用発明における構成ｄ、ｄ６の「演出画像ＹＨ１１のうち操作ボタンを指す指さし画像と「ボタンを押してね！」との文字画像とからなる画像を、演出画像ＹＨ２１の「ボタンを押してください」との文字画像よりも大きく表示する」「演出制御基板８０」は、本件補正発明における構成Ｄ、Ｄ６の「第２態様の操作促進報知における第２情報を示す画像を、第１態様の操作促進報知における第２情報を示す画像よりも大きく表示する」「操作促進報知実行手段」に相当する。
　
　上記（ａ）〜（ｄ、ｄ６）によれば、本件補正発明と引用発明は、
「Ａ　可変表示を行い、遊技者にとって有利な有利状態に制御可能な遊技機であって、
　Ｂ　遊技者が操作可能な操作手段と、
　Ｃ　前記操作手段に対する操作を促す操作促進報知を実行可能な操作促進報知実行手段とを備え、
　Ｄ　前記操作促進報知実行手段は、
　　Ｄ１　前記操作促進報知として、少なくとも第１情報を示す画像と第２情報を示す画像とを表示し、
　　Ｄ２　前記第１情報を示す画像と前記第２情報を示す画像とを互いに重畳することなく表示する第１態様と、前記第１情報を示す画像と前記第２情報を示す画像とを少なくとも一部が重畳するように表示する第２態様とのいずれかの態様によって、前記操作促進報知を実行可能であり、
　Ｅ　前記第１情報は、前記操作手段を示す情報であり、
　Ｆ　前記第２情報は、前記操作手段に対する操作内容を示す情報であり、
　Ｄ　前記操作促進報知実行手段は、
　　Ｄ５　前記第２態様の前記操作促進報知における前記第１情報を示す画像を、前記第１態様の前記操作促進報知における前記第１情報を示す画像よりも大きく表示し、
　　Ｄ６　前記第２態様の前記操作促進報知における前記第２情報を示す画像を、前記第１態様の前記操作促進報知における前記第２情報を示す画像よりも大きく表示する、
　Ｇ　遊技機。」の点で一致し、次の点で相違する。
　
［相違点］（構成Ｄ、Ｄ３〜Ｄ４）
　操作促進報知実行手段に関し、
　本件補正発明は、有利状態に制御される期待度が第１期待度のときには、第１態様の操作促進報知を表示し、有利状態に制御される期待度が第１期待度よりも高い第２期待度のときには、第２態様の操作促進報知を表示するのに対して、
　引用発明は、そのような構成を備えない点。
　
　（４）当審判合議体の判断
　　　ア　相違点について
　上記相違点について検討する。
　遊技機の技術分野において、信頼度の高い演出であることを遊技者に認識させて、遊技の興趣を向上させるために、有利状態に制御される期待度が高いときに、操作手段を示す情報や、操作手段に対する操作内容を、有利状態に制御される期待度が低いときよりも大きな画像により表示することは、本願出願前に周知の技術事項である（例えば、原査定において引用文献９として提示された特開２０１５−１６７６９２号公報の【０００７】、【０２１６】、【０２４０】〜【０２４４】、【０２７０】、【図２５】、【図３０】には、操作手段を用いた演出による遊技の興趣を向上させるために、大当り遊技状態への期待度の高い場合に、操作ボタンの形を示す画像と「ＰＵＳＨ」の文字画像からなる操作促進画像９ａのサイズを「大」とすることが記載され、
　同じく、原査定において引用文献１０として提示された特開２０１１−２３９８７６号公報の【０００９】、【０４０６】、【図３６】には、遊技者の遊技意欲を維持させるために、確変昇格演出の信頼度が高いことを、演出ボタン画像及び「ＰＵＳＨ」の文字画像を大きく表示することで示すことが記載され、
　同じく、原査定において引用文献６として提示された特開２０１６−１６１３２号公報の【０３５７】〜【０３６１】，【０４９２】、【図５】、【図２８】〜【図２９】には、操作演出パターンＢＴ−４に基づく演出を行う場合に、遊技者に対して当りに対する期待感を持たせるために、目立たせた大ボタン５ＢＬの表示をすること、及び、ボタンの図柄と併せて「ＰＵＳＨ」等の文字を表示することが記載され、
　特開２００９−２３２８８７号公報の【０００５】〜【０００６】、【００５７】〜【００５８】、【００７６】〜【００８９】、【図４】には、遊技者に当該特定演出が大当り信頼度の高い演出であることをいち早く理解させ、遊技の興趣の向上させるために、ボタンの形を示す画像と「ＰＵＳＨ」の文字画像とからなるボタン画像を大ボタン表示することが記載され、
　特開２０１６−３９９５４号公報の【０００７】、【０２７７】〜【０２７８】、【０２９５】、【図４２】には、遊技の興趣を向上させるために、選択演出において、信頼度の高い武器Ｃ〜Ｄが選択された場合、大きめの演出ボタン画像とともに「一撃」の文字画像を表示することが記載されている。）。
　
　一方、引用発明における「変動中予告種別ＣＡＹ２に基づ」く「演出画像ＹＨ２１」や、「変動中予告種別ＣＡＹ１に基づ」く「演出画像ＹＨ１１」は、引用例１の【０４２３】〜【０４２４】の記載によると、遊技の興趣を向上させるための演出であるといえる。
　そうすると、引用発明及び上記周知の技術事項とは、遊技機において演出により遊技の興趣を向上させるという共通の課題を解決するものである。
　また、引用発明は、構成ｄ、ｄ５〜ｄ６により「態様２の操作ボタン１２０の画像を、態様１の操作ボタン１２０の画像よりも大きく表示し、態様２の操作ボタン１２０を指さす画像と、「ボタンを押してね！」とのメッセージ画像とを、態様１の「ボタンを押してください」とのメッセージ画像よりも大きく表示する」ものであって、引用発明の構成ｄ、ｄ５〜ｄ６は、上記「３（３）対比」において検討したように、本件補正発明の構成Ｄ、Ｄ５〜Ｄ６に相当するものである。
　したがって、引用発明に上記周知の技術事項を適用して、「操作ボタンの形を示す画像と、「ボタンを押してください」との文字画像とを分離する態様により表示」する「演出画像ＹＨ２１」よりも大きく表示される、「操作ボタンの形を示す画像と、操作ボタンを指す指さし画像との一部を重ねる態様により表示」する「演出画像ＹＨ１１」を、有利状態に制御される期待度の高い場合のボタン操作促進演出に用い、「演出画像ＹＨ２１」を、有利状態に制御される期待度の低い場合のボタン操作促進演出に用いることで、上記相違点に係る本件補正発明の構成とすることは当業者が容易になし得たものである。
　
　　　イ　請求人の主張について
　請求人は、令和１年５月３０日付け審判請求書において、
「 （３−４）本願発明と引用例との対比 
・・・
　したがって、引用例９−１０を引用例１−５（あるいは引用例６）に組み合わせたとしても、期待度が高いとき（第２期待度のとき）には、第１態様または第２態様の操作促進報知の表示サイズを、期待度が低いとき（第１期待度のとき）の第１態様または第２態様の操作促進報知の表示サイズよりも大きくすることが想到されるに過ぎず、第１態様と第２態様のいずれの表示サイズを大きくするかまで想到されるものではありません。
　また、本願発明は、上記特徴Ｃを有することにより、期待度が高いとき（第２期待度のとき）には、第２態様の操作促進報知における第１情報を示す画像及び第２情報を示す画像の表示サイズが大きくされる際に、２つの画像の重畳が許容され、第１態様（非重畳態様）の操作促進報知における第１情報を示す画像及び第２情報を示す画像の表示サイズを大きくする場合に比べて表示サイズの制約が小さくなり、２つの画像のいずれも大きく表示することができるため、高期待度に対応して、遊技者に視覚的に印象付けやすくすることで期待感を持たせることができるという効果（以下、本願発明の効果という）が期待されます。」と主張する。
　
　そこで、請求人の上記主張について検討する。
　引用発明の構成ｄ５〜６によると、引用発明は、操作ボタンの画像、操作ボタンを指す指さし画像、メッセージ画像を含む第１態様のサイズを操作ボタンの画像、メッセージ画像を含む第２態様よりも大きく表示するものである。
　ところで、画像表示一般の技術分野において、表示内容の表示サイズが大きくなることで、ユーザーが当該表示内容を認識しやすくなることは、請求人も「そして、一般的に、表示サイズが大きくなると遊技者が視認し易くなるので遊技者に印象付けやすくできるのは、言うまでもないことであり、・・・」（（３−４）本願発明と引用例との対比）と主張しているように、当業者にとって自明の事項である。
　また、上記「ア　相違点について」で示したとおり、遊技機の技術分野において、信頼度の高い演出であることを遊技者に認識させて、興趣を向上させるために、有利状態に制御される期待度が高いときに、有利状態に制御される期待度が低いときよりも大きな画像により、操作手段を示す情報や、操作手段に対する操作内容を示す情報を大きく表示することは、周知の技術事項である。
　そして、上記アにおいて検討したように、引用発明に上記周知の技術事項を適用して、演出画像ＹＨ２１よりも大きく表示される演出画像ＹＨ１１を、有利状態に制御される期待度の高い場合のボタン操作促進演出に用い、演出画像ＹＨ２１、有利状態に制御される期待度の低い場合のボタン操作促進演出に用いることは当業者が容易になし得たものである。
　
　次に、請求人の主張する、本件補正発明が構成Ｄ、Ｄ３〜Ｄ６を備えることで、「２つの画像のいずれも大きく表示することができるため、高期待度に対応して、遊技者に視覚的に印象付けやすくすることで期待感を持たせることができるという効果」について検討する。
　原査定において引用文献６として提示された上記特開２０１６−１６１３２号公報の【０３６１】には、「
大ボタン
は、
画像である。大ボタン５ＢＬは、
画像表示装置５に大きく表示されるため、遊技者に対して
目立たせることができる。
大ボタン
の表示によって遊技者に対して期待感を持たせることができる。
　したがって、本件補正発明によって奏されると請求人が主張する上記効果は、例えば、上記特開２０１６−１６１３２号公報に記載されているように、当業者にとって広く知られた効果にすぎず、格別のものではない。
　
　よって、請求人の上記主張を採用することはできない。
　
　　　ウ　小括
　本件補正発明により奏される効果は、当業者が、引用発明及び上記周知の技術事項から予測し得た効果の範囲内のものであって、格別なものではない。
　よって、本件補正発明は、引用発明及び上記周知の技術事項に基いて当業者が容易に発明をすることができたものであるから、特許法第２９条第２項の規定により、特許出願の際に独立して特許を受けることができないものである。
　
　（５）まとめ
　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
　第３　本願発明について
　１　本願発明
　本件補正は、上記のとおり却下されることとなったので、本願の請求項１に係る発明（以下「本願発明」という。）は、平成３０年６月１４日付け手続補正書の請求項１に記載された、次のとおりのものであると認める。
「Ａ　可変表示を行い、遊技者にとって有利な有利状態に制御可能な遊技機であって、
　Ｂ　遊技者が操作可能な操作手段と、
　Ｃ　前記操作手段に対する操作を促す操作促進報知を実行可能な操作促進報知実行手段とを備え、
　Ｄ　前記操作促進報知実行手段は、
　　Ｄ１　前記操作促進報知として、少なくとも第１情報を示す画像と第２情報を示す画像とを表示し、
　　Ｄ２　前記第１情報を示す画像と前記第２情報を示す画像とを互いに重畳することなく表示する第１態様と、前記第１情報を示す画像と前記第２情報を示す画像とを少なくとも一部が重畳するように表示する第２態様とのいずれかの態様によって、前記操作促進報知を実行可能であり、
　Ｅ　前記第１情報は、前記操作手段を示す情報であり、
　Ｆ　前記第２情報は、前記操作手段に対する操作内容を示す情報であり、
　Ｄ　前記操作促進報知実行手段は、
　　Ｄ７　前記有利状態に制御される期待度が第１期待度のときには、前記第１態様の前記操作促進報知を第１の大きさで表示し、
　　Ｄ８　前記有利状態に制御される期待度が第１期待度よりも高い第２期待度のときには、前記第２態様の前記操作促進報知を前記第１の大きさよりも大きい第２の大きさで表示する、
　Ｇ　ことを特徴とする遊技機。」
　
　２　原査定の拒絶の理由
（進歩性）この出願の請求項１〜２に係る発明は、その出願前に日本国内において、頒布され又は電気通信回線を通じて公衆に利用可能となった下記の引用例１〜５のいずれかに記載された発明に基いて、若しくは、この出願の請求項１に係る発明は、その出願前に日本国内において、頒布され又は電気通信回線を通じて公衆に利用可能となった下記の引用例６に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　＜引用文献等一覧＞
　　１.特開２０１１−２１７９５７号公報
　　２.特開２０１５−１３９５３２号公報
　　３.特開２０１５−１８１４８３号公報
　　４.特開２０１０−６８９００号公報（前記第２［理由］　２−２（２）の「引用例１」）
　　５.特開２０１４−９０８４４号公報
　　６.特開２０１６−１６１３２号公報
　　・・・
　　９.特開２０１５−１６７６９２号公報
　　１０.特開２０１１−２３９８７６号公報
　
　３　引用例に記載された事項
　原査定の拒絶の理由に引用された引用文献４の記載事項、引用発明の認定については、前記「第２［理由］　２−２（２）引用例１」に記載したとおりである。
　
　４　対比・判断
　本願発明は、前記「第２［理由］　２−２（１）」で検討した本件補正発明の「第１態様の操作促進報知」及び「第２態様の操作促進報知」に関し、
　「前記有利状態に制御される期待度が第１期待度のときには、前記第１態様の前記操作促進報知
を表
を表
し
前記第２態様の前記操作促進報知における前記第１情報を示す画像を、前記第１態様の前記操作促進報知における前記第１情報を示す画像よりも大きく表示し、前記第２態様の前記操作促進報知における前記第２情報を示す画像を、前記第１態様の前記操作促進報知における前記第２情報を示す画像よりも大きく表示する
　「前記有利状態に制御される期待度が第１期待度のときには、前記第１態様の前記操作促進報知を第１の大きさで表示し、前記有利状態に制御される期待度が第１期待度よりも高い第２期待度のときには、前記第２態様の前記操作促進報知を前記第１の大きさよりも大きい第２の大きさで表示する」と、その限定を省略したものである。
　そうすると、本願発明と引用発明とは、前記「第２［理由］　２−２（３）対比」における認定と同様に、次の相違点１において相違し、その余の点において一致する。
　
［相違点１］（構成Ｄ、Ｄ７〜Ｄ８）
　操作促進報知実行手段に関し、
　本願発明は、有利状態に制御される期待度が第１期待度のときには、第１態様の操作促進報知を第１の大きさで表示し、有利状態に制御される期待度が第１期待度よりも高い第２期待度のときには、第２態様の操作促進報知を前記第１の大きさよりも大きい第２の大きさで表示するのに対して、
　引用発明は、そのような構成を備えない点。
　
　そこで、上記相違点１について検討する。
　本願発明の構成Ｄ、Ｄ７〜Ｄ８は、「操作促進報知」の大小を、第１態様と第２態様との間で比較するものであるのに対して、実質的に本件補正発明の構成Ｄ、Ｄ３〜Ｄ６は、「操作促進報知」を構成する「第１情報を示す画像」と「第２情報を示す画像」の大小を第１態様と第２態様との間で比較するものであるのであることからみて、本願発明の構成Ｄ、Ｄ７〜Ｄ８をさらに限定したものが、本件補正発明の構成Ｄ、Ｄ３〜Ｄ６である。
　そうすると、本願発明の構成Ｄ、Ｄ７〜Ｄ８をさらに限定した構成Ｄ、Ｄ３〜Ｄ６を備える本件補正発明についての前記「第２［理由］　２−２（４）当審判合議体の判断」における検討と同様に、本願発明は、引用発明及び上記周知の技術事項に基いて当業者が容易になし得たものである。
　
　５　むすび
　上記１〜４より、本願発明は、特許法第２９条第２項の規定に基いて特許を受けることができない。
　したがって、その余の請求項について検討するまでもなく、本願は拒絶すべきものである。
　
　よって、結論のとおり審決する。